(57)【要約】【課題】取引価格を適切に更新することができる出品物取引処理装置、出品物取引処理方法および出品物取引処理プログラムを提供すること。【解決手段】本願に係る出品物取引処理装置は、設定受付部と、取引価格変更部と、購入受付部と、処理部とを備える。設定受付部は、出品物の取引価格の設定を受け付ける。取引価格変更部は、取引価格を段階的に下げる。購入受付部は、取引価格での出品物の購入要求を受け付ける。処理部は、購入要求に対する処理を行う。取引価格変更部は、取引価格を下げていく態様を動的に変更する。【選択図】図１
2018049370.tif 000002
【特許請求の範囲】
【請求項１】
出品物の取引価格の設定を受け付ける設定受付部と、
前記取引価格を段階的に下げる取引価格変更部と、
前記取引価格での前記出品物の購入要求を受け付ける購入受付部と、
前記購入要求に対する処理を行う処理部と、を備え、
前記取引価格変更部は、
前記取引価格を下げていく態様を動的に変更する
ことを特徴とする出品物取引処理装置。
【請求項２】
前記取引価格変更部は、
前記出品物に対する注目度に応じて前記取引価格を段階的に下げる
ことを特徴とする請求項１に記載の出品物取引処理装置。
【請求項３】
前記出品物に関する情報として公開される出品物情報を受け付ける出品物情報受付部を備え、
前記取引価格変更部は、
前記出品物情報の情報量に応じて前記取引価格を段階的に下げる
ことを特徴とする請求項１または２に記載の出品物取引処理装置。
【請求項４】
前記取引価格変更部は、
前記出品物情報の情報量が所定条件を満たす場合、前記出品物の相場価格よりも高い取引価格帯で前記取引価格を段階的に下げる
ことを特徴とする請求項３に記載の出品物取引処理装置。
【請求項５】
前記出品物情報の情報量には、出品物の画像の数が含まれ、
前記取引価格変更部は、
前記出品物の画像の数に応じて前記取引価格を段階的に下げる
ことを特徴とする請求項３または４に記載の出品物取引処理装置。
【請求項６】
前記取引価格変更部は、
前記出品物情報に基づいて前記出品物の状態を判定する判定部と、
前記判定部によって判定された前記出品物の状態に基づいて、前記取引価格を段階的に下げる価格変更処理部と、を備える
ことを特徴とする請求項３〜５のいずれか一つに記載の出品物取引処理装置。
【請求項７】
前記取引価格変更部は、
時間帯および曜日の少なくともいずれか一つに応じて前記取引価格を段階的に下げる
ことを特徴とする請求項１〜６のいずれか一つに記載の出品物取引処理装置。
【請求項８】
前記取引価格変更部は、
前記出品物と同じ種類または類似の種類の他の出品物の価格に基づいて、前記取引価格を下げる
ことを特徴とする請求項１〜７のいずれか一つに記載の出品物取引処理装置。
【請求項９】
前記設定受付部は、
前記出品物に対する最低価格の設定を受け付け、
前記取引価格変更部は、
前記取引価格が前記最低価格以下にならないように、前記取引価格を下げる
ことを特徴とする請求項１〜８のいずれか一つに記載の出品物取引処理装置。
【請求項１０】
前記設定受付部は、
前記最低価格の設定を解除する設定を受け付け、
前記取引価格変更部は、
前記最低価格の設定が解除された場合に、前記最低価格とは無関係に前記取引価格を下げる
ことを特徴とする請求項９に記載の出品物取引処理装置。
【請求項１１】
前記設定受付部は、
前記取引価格を段階的に下げる形式の設定を受け付け、
前記取引価格変更部は、
前記設定受付部によって受け付けた前記形式を基準に、前記取引価格を下げていく態様を動的に変更する
ことを特徴とする請求項１〜１０のいずれか一つに記載の出品物取引処理装置。
【請求項１２】
前記出品物に対する注目度に基づいて、前記形式の変更の提案を前記出品物の出品者に通知する通知部を備える
ことを特徴とする請求項１１に記載の出品物取引処理装置。
【請求項１３】
前記設定受付部は、
前記取引価格変更部によって前記取引価格を段階的に下げる設定を受け付け、
前記取引価格変更部は、
前記設定受付部によって前記取引価格を段階的に下げる設定を受け付けた場合に、前記出品物の取引価格を段階的に下げる
ことを特徴とする請求項１〜１２のいずれか一つに記載の出品物取引処理装置。
【請求項１４】
前記設定受付部によって前記取引価格を段階的に下げる設定が受け付けられていない場合、前記出品物に対する注目度に基づいて、前記取引価格を段階的に下げる設定の提案を前記出品物の出品者に通知する通知部を備える
ことを特徴とする請求項１３に記載の出品物取引処理装置。
【請求項１５】
コンピュータが実行する出品物取引処理方法であって、
出品物の取引価格の設定を受け付ける設定受付工程と、
前記取引価格を段階的に下げていく態様を動的に変更する取引価格変更工程と、
前記取引価格での前記出品物の購入要求を受け付ける購入受付工程と、
前記購入要求に対する処理を行う処理工程と、を含む
ことを特徴とする出品物取引処理方法。
【請求項１６】
出品物の取引価格の設定を受け付ける設定受付手順と、
前記取引価格を段階的に下げいく態様を動的に変更する取引価格変更手順と、
前記取引価格での前記出品物の購入要求を受け付ける購入受付手順と、
前記購入要求に対する処理を行う処理手順と、
をコンピュータに実行させることを特徴とする出品物取引処理プログラム。
【発明の詳細な説明】
【技術分野】
【０００１】
本発明は、出品物取引処理装置、出品物取引処理方法および出品物取引処理プログラムに関する。
【背景技術】
【０００２】
近年、インターネットの飛躍的な普及に伴い、ネットワークを介して企業間、企業個人間、個人間での出品物取引が広く行われている。例えば、ネットワークを介してフリーマーケット形式で商品の売買を行うための出品物取引サービスが知られており、かかる出品物取引サービスにおいて、利用者は設定された取引価格で出品物を即座に購入することができる。
【０００３】
できるだけ高い価格で購入されるような取引価格を出品者が設定することが難しい場合、設定された取引価格が固定的であると、出品物が購入されない可能性が高くなる。そこで、出品物が購入される可能性を高めるために、出品者による設定に応じて段階的に取引価格を下げる装置が提案されている（例えば、特許文献１参照）。
【先行技術文献】
【特許文献】
【０００４】
【特許文献１】特開２００９−２７７２０７号公報
【発明の概要】
【発明が解決しようとする課題】
【０００５】
しかしながら、上記従来サービスでは、ユーザによる設定に応じて段階的に取引価格を下げるため、かかる設定に慣れていないような場合、取引価格を適切に更新することができないおそれがある。
【０００６】
本願は、上記に鑑みてなされたものであって、取引価格を適切に更新することができる出品物取引処理装置、出品物取引処理方法および出品物取引処理プログラムを提供することを目的とする。
【課題を解決するための手段】
【０００７】
本願に係る出品物取引処理装置は、設定受付部と、取引価格変更部と、購入受付部と、処理部とを備える。前記設定受付部は、出品物の取引価格の設定を受け付ける。前記取引価格変更部は、前記取引価格を段階的に下げる。前記購入受付部は、前記取引価格での前記出品物の購入要求を受け付ける。前記処理部は、前記購入要求に対する処理を行う。前記取引価格変更部は、前記取引価格を下げていく態様を動的に変更する。
【発明の効果】
【０００８】
実施形態の一態様によれば、取引価格を適切に更新することができる出品物取引処理装置、出品物取引処理方法および出品物取引処理プログラムを提供することができる。
【図面の簡単な説明】
【０００９】
【図１】図１は、実施形態に係る出品物取引処理の説明図である。
【図２】図２は、実施形態に係る取引システムの構成例を示す図である。
【図３】図３は、実施形態に係る端末装置の一例を示す図である。
【図４】図４は、実施形態に係る出品物取引処理装置の構成例を示す図である。
【図５】図５は、出品物登録画面の一例を示す図である。
【図６】図６は、出品情報記憶部に記憶される出品情報テーブルの一例を示す図である。
【図７】図７は、端末装置に表示された出品物一覧画面の一例を示す図である。
【図８】図８は、端末装置に表示された出品物画面の一例を示す図である。
【図９】図９は、取引価格の変化の一例を示す図である。
【図１０】図１０は、取引価格変更部の構成の一例を示す図である。
【図１１】図１１は、取引価格の変化と注目度の変化との関係の一例を示す図である。
【図１２】図１２は、取引価格の変化と注目度の変化との関係の他の例を示す図である。
【図１３】図１３は、端末装置に表示される通知画面の一例を示す図である。
【図１４】図１４は、端末装置に表示される通知画面の一例を示す図である。
【図１５】図１５は、実施形態に係る出品物取引処理装置における情報処理の流れを示すフローチャートである。
【図１６】図１６は、出品物取引処理プログラムを実行するコンピュータのハードウェア構成の一例を示す図である。
【発明を実施するための形態】
【００１０】
以下に、本願に係る出品物取引処理装置、出品物取引処理方法および出品物取引処理プログラムを実施するための形態（以下、「実施形態」と呼ぶ）について図面を参照しつつ詳細に説明する。なお、この実施形態により本願に係る出品物取引処理装置、出品物取引処理方法および出品物取引処理プログラムが限定されるものではない。
【００１１】
〔１．出品物取引処理〕
図１を用いて、実施形態に係る出品物取引処理について説明する。図１は、実施形態に係る出品物取引処理の説明図であり、本実施形態においては、出品物取引処理装置１によって出品物取引処理が実行される。
【００１２】
図１に示す例では、ユーザＵ１が出品者として出品情報を端末装置２１から出品物取引処理装置１へ送信する（ステップＳ１）。出品情報には、例えば、出品物の説明、出品物の画像、開始価格Ｐｓｔａｒｔ、最低価格Ｐｍｉｎなどの情報が含まれる。開始価格Ｐｓｔａｒｔは、出品開始時の出品物の取引価格Ｐであり、最低価格Ｐｍｉｎ（＜Ｐｓｔａｒｔ）は、出品物の取引価格Ｐの最低価格である。
【００１３】
出品物取引処理装置１は、端末装置２１から出品情報を取得すると、かかる出品情報に基づいて、出品処理を開始する。かかる出品処理が行われた後、出品物取引処理装置１を利用するユーザＵ２、Ｕ３の端末装置２２、２３からの要求に応じて、出品物取引処理装置１は、出品物画面６３の情報を送信する（ステップＳ２、Ｓ３）。
【００１４】
かかる出品物画面６３には、商品Ｄの説明、商品Ｄの画像、取引価格Ｐなどの情報に加え、商品Ｄに対するお気に入り登録数、商品Ｄに対するコメント数の情報が含まれる。かかる出品物画面６３によってユーザＵ２、Ｕ３は、商品Ｄの情報を把握することができる。
【００１５】
ユーザＵ２が端末装置２２を操作して、登録ボタン６５を操作して商品Ｄに対するお気に入り登録を行うと（ステップＳ４）、お気に入り登録数が１つインクリメントされる。図１に示す例では、お気に入り登録数が「４」である。
【００１６】
また、ユーザＵ３が端末装置２３を操作して、商品Ｄに対するコメントを入力すると（ステップＳ５）、コメント数が１つインクリメントされる。図１に示す例では、コメント数が「１」である。なお、以下において、端末装置２１、２２、２３を端末装置２と総称する場合がある。
【００１７】
出品物取引処理装置１は、商品Ｄの取引価格Ｐを開始価格Ｐｓｔａｒｔに設定した後、商品Ｄが購入されない状態が継続する場合、取引価格Ｐを段階的に下げる処理を行う。図１に示す例では、取引価格Ｐを開始価格Ｐｓｔａｒｔとして時刻ｔ０から商品Ｄの出品を開始した後、時刻ｔ１〜ｔ６で取引価格Ｐを段階的に下げている。出品物取引処理装置１は、最低価格Ｐｍｉｎが取引価格Ｐになった場合、取引価格Ｐを下げる処理を終了する。
【００１８】
このように、出品物取引処理装置１は、出品物が購入されない状態が継続する場合には、取引価格Ｐを段階的に下げる処理を行う。そのため、例えば、出品者による取引価格Ｐの設定が出品物の購入を検討している利用者（以下、購入検討者と記載する）が出品物を購入しようとする価格と乖離しているような場合であっても、出品物が購入されない可能性を低減することができる。
【００１９】
さらに、出品物取引処理装置１は、取引価格Ｐを段階的に下げていく態様を動的に変更する。例えば、出品物取引処理装置１は、出品物に対する注目度、出品物情報（出品物の説明や画像）の情報量、時間帯や曜日、出品物と同じ種類または類似の他の出品物の取引価格などに基づいて、取引価格Ｐを段階的に下げていく態様を動的に変更することができる。
【００２０】
例えば、出品物取引処理装置１は、出品物に対する注目度が高い状態である場合、取引価格Ｐを下げる処理を停止または取引価格Ｐの下げ幅ΔＰを小さくすることができる。また、出品物取引処理装置１は、出品物に対する注目度が高い状態である場合、取引価格Ｐの下げる時間間隔（以下、下げ間隔ΔＴと記載する）を長くしたりすることができる。注目度は、例えば、出品物に対するお気に入り登録数、出品物に対するコメント数、出品物画面６３が閲覧された回数などである。
【００２１】
注目度が高い出品物は、取引価格Ｐが適切に設定されている可能性が高いことから、取引価格Ｐを下げる処理を停止または取引価格Ｐの下げ幅ΔＰを小さくすることによって、取引価格Ｐが低くなりすぎることを防止し、出品者が受ける利益を向上させることができる。
【００２２】
一方、出品物取引処理装置１は、出品物に対する注目度が低い状態である場合、取引価格Ｐの下げ幅ΔＰを大きくしたり、下げ間隔ΔＴを短くしたりすることができる。
【００２３】
注目度が低い出品物は、取引価格Ｐが高めに設定されている可能性が高いことから、取引価格Ｐの下げ幅ΔＰを大きくしたり取引価格Ｐの下げ間隔ΔＴを小さくしたりすることによって、出品物が購入される可能性を高めることができる。そのため、例えば、出品物をできるだけ早く売却したいと希望する出品者をターゲットとした出品物取引サービスを提供することができる。
【００２４】
また、出品物取引処理装置１は、出品物情報の情報量が少ない場合、取引価格Ｐを下げる処理を停止したり、取引価格Ｐの下げ幅ΔＰを小さくしたり、取引価格Ｐの下げ間隔ΔＴを長くしたりすることができる。
【００２５】
出品物情報の情報量が多ければ購入希望者が購入を検討する材料が多い可能性が高いことから、取引価格Ｐの下げ幅ΔＰを小さくしたり、取引価格Ｐの下げ間隔ΔＴを長くしたりすることで、取引価格Ｐが下がりすぎることを抑制できる。
【００２６】
一方、出品物取引処理装置１は、出品物情報の情報量が多い場合、取引価格Ｐの下げ幅ΔＰを大きくしたり、取引価格Ｐの下げ間隔ΔＴを短くしたりすることができる。出品物情報の情報量が少なければ購入希望者が購入を検討する材料が少ない可能性が高いことから、購入検討者が少ない可能性が高い。
【００２７】
そのため、取引価格Ｐの下げ幅ΔＰを大きくしたり、取引価格Ｐの下げ間隔ΔＴを短くしたりすることで、購入検討者を増加させ、出品物が購入される可能性を高めることができる。以下、出品物取引処理装置１を含む取引システムの構成について詳細に説明する。
【００２８】
〔２．取引システム〕
図２は、実施形態に係る取引システムの構成例を示す図である。図２に示すように、実施形態に係る取引システム１００は、出品物取引処理装置１と、複数の端末装置２１〜２ｎ（ｎは、２以上の整数）とを備える。
【００２９】
これら出品物取引処理装置１および複数の端末装置２１〜２ｎ（以下、端末装置２と総称する場合がある）は、ネットワーク３を介して有線または無線により互いに通信可能に接続される。ネットワーク３は、例えば、ＬＡＮ（Local  Area  Network）や、インターネットなどのＷＡＮ（Wide  Area  Network）である。端末装置２１〜２ｎは、ユーザＵ１〜Ｕｎ（以下、ユーザＵと総称する場合がある）によって操作される。
【００３０】
端末装置２は、例えば、スマートフォン、タブレット型端末、ＰＤＡ（Personal  Digital  Assistant）、パーソナルコンピュータ等であり、通信部１０と、制御部１１（コントローラ）と、表示部１２と、操作部１３と、記憶部１４とを備える。図３は、端末装置２の一例を示す図である。
【００３１】
制御部１１は、ＣＰＵ（Central  Processing  Unit）、ＲＯＭ（Read  Only  Memory）、ＲＡＭ（Random  Access  Memory）、入出力ポートなどを有するマイクロコンピュータや各種の回路を含む。表示部１２は、例えば、ＬＣＤ（Liquid  Crystal  Display）であり、操作部１３は、例えば、キーボードやタッチパネルなどである。
【００３２】
制御部２２は、処理部１５と、表示制御部１６を備える。かかる処理部１５および表示制御部１６の機能は、例えば、制御部１１のＣＰＵが制御部１１のＲＯＭに記憶されている出品物取引処理アプリケーションのプログラムを読み出して実行することにより実現される。
【００３３】
処理部１５は、ユーザＵの操作部１３への操作を検出し、かかる操作に応じた要求を出品物取引処理装置１へ送信する。また、表示制御部１６は、出品物取引処理装置１から送信される各種の画面の情報やユーザＵの操作部１３への入力操作に応じた情報を表示部１２に表示し、ユーザＵの操作部１３を用いたスクロール操作に応じて表示画面をスクロール表示させることができる。
【００３４】
出品物取引処理装置１は、図４に示すように、通信部２０と、記憶部２１と、制御部２２（コントローラ）とを備え、端末装置２のユーザＵに出品物取引サービスを提供する。図４は、実施形態に係る出品物取引処理装置１の構成例を示す図である。以下、通信部２０、記憶部２１および制御部２２の順に具体的に説明する。
【００３５】
〔２．１．通信部２０〕
通信部２０は、ネットワーク３との間で情報の送受信を行う通信インターフェイスであり、ネットワーク３との接続を有線または無線で行う。制御部２２は、通信部２０およびネットワーク３を介して、端末装置２１〜２ｎとの間で各種の情報を送受信することができる。
【００３６】
〔２．２．記憶部２１〕
記憶部２１は、ユーザ情報記憶部３１と、出品情報記憶部３２とを有する。ユーザ情報記憶部３１および出品情報記憶部３２は、例えば、ＲＡＭ、フラッシュメモリ等の半導体メモリ素子、または、ＨＤＤ（Hard  Disk  Drive）、光ディスク等の記憶装置である。
【００３７】
ユーザ情報記憶部３１は、ユーザＵの識別情報であるユーザＩＤ、ユーザＵの属性（例えば、年齢、性別）、ユーザＵが登録した他のユーザＵの出品物の情報および他のユーザＵによる評価などを記憶する。出品情報記憶部３２は、出品物に関する情報を記憶する。
【００３８】
〔２．３．制御部２２〕
制御部２２は、例えば、ＣＰＵ、ＲＯＭ、ＲＡＭ、入出力ポートなどを有するマイクロコンピュータや各種の回路を含む。制御部２２は、出品受付部４１（設定受付部の一例）と、閲覧処理部４２と、登録処理部４３と、購入受付部４４と、購入処理部４５（処理部の一例）と、取引価格変更部４６と、通知部４７とを備える。かかる出品受付部４１、閲覧処理部４２、登録処理部４３、購入受付部４４、購入処理部４５、取引価格変更部４６および通知部４７の機能は、例えば、制御部２２のＣＰＵが制御部２２のＲＯＭに記憶されているプログラムを読み出して実行することにより実現される。
【００３９】
なお、出品受付部４１、閲覧処理部４２、登録処理部４３、購入受付部４４、購入処理部４５、取引価格変更部４６および通知部４７は、それぞれ一部または全部がＡＳＩＣ（Application  Specific  Integrated  Circuit）やＦＰＧＡ（Field  Programmable  Gate  Array）等のハードウェアで構成されてもよい。
【００４０】
〔２．３．１．出品受付部４１〕
出品受付部４１は、例えば、出品者の端末装置２から出品情報を含む出品要求を受け付ける。出品情報は、出品物に関する情報であり、例えば、出品者のユーザＩＤ、商品名、商品説明、開始価格Ｐｓｔａｒｔ、最低価格Ｐｍｉｎ、価格変更設定、落札までの希望期間、変更形式の情報などの情報を含む。
【００４１】
端末装置２のユーザＵは、例えば、出品受付部４１から提供される出品物登録画面に出品情報を入力し、入力した出品情報を含む出品要求を端末装置２から出品物取引処理装置１へ送信することができる。図５は、出品物登録画面５０の一例を示す図であり、かかる出品物登録画面５０の情報は、出品物取引処理装置１から端末装置２へ送信され、端末装置２の表示制御部１６によって表示部１２に表示される。
【００４２】
図５に示す出品物登録画面５０には、商品名入力枠５１、商品説明入力枠５２、開始価格入力枠５３、最低価格入力枠５４、希望期間入力枠５５、変更形式入力枠５６、価格変更設定枠５７および商品画像設定枠５８が含まれており、端末装置２のユーザＵは、各枠５１〜５８へ出品物に応じた情報を入力または設定することができる。
【００４３】
商品名入力枠５１は、出品物の名称である商品名が入力される枠であり、商品説明入力枠５２は、出品物の説明文が入力される枠である。開始価格入力枠５３は、出品物に対する取引価格Ｐの初期値である開始価格Ｐｓｔａｒｔが入力される枠であり、最低価格入力枠５４は、取引価格Ｐの最低値である最低価格Ｐｍｉｎが入力される枠である。
【００４４】
希望期間入力枠５５は、出品物の出品開始から出品物が購入されるまでの期間の希望期間が入力される枠である。かかる希望期間入力枠５５にユーザＵから希望期間の情報が入力された場合、かかる希望期間において取引価格変更部４６によって取引価格Ｐを下げる処理が実行され、希望期間入力枠５５に希望期間が入力されない場合、基準期間（例えば、１ヶ月）において取引価格変更部４６によって取引価格Ｐを下げる処理が実行される。
【００４５】
変更形式入力枠５６は、取引価格Ｐを段階的に下げていく形式（以下、変更形式と記載する場合がある）が入力される枠である。変更形式には、例えば、取引価格Ｐが一次関数的（リニア）に段階的に下がる第１形式と、取引価格Ｐが二次曲線的に段階的に下がる第２形式と、条件に応じて変更形式を動的に変更していく第３形式とが含まれる。
【００４６】
かかる変更形式は、かかる第１形式から第３形式に限定されない。例えば、変更形式には、希望期間（または基準期間）の前半に、取引価格Ｐが一次関数的に段階的に下がり、希望期間（または基準期間）の後半に取引価格Ｐが二次曲線的に段階的に下がる形式が含まれる。
【００４７】
価格変更設定枠５７は、取引価格Ｐの動的な変更を行うか否かを設定するためのチェックボックスである。価格変更設定枠５７にチェックマークが設定されるように、ユーザＵは、操作部１３を操作して、取引価格Ｐの動的な変更を行う状態に設定することができる。また、商品画像設定枠５８には、ユーザＵによる操作部１３の操作によって、出品物の画像を１以上設定することができる。なお、希望期間および変更形式の設定は、価格変更設定枠５７に取引価格Ｐの動的な変更を行う設定がされた場合に有効になる。
【００４８】
端末装置２のユーザＵは、操作部１３を操作して、出品物登録画面５０のそれぞれの枠５１〜５８に、商品名、商品説明、開始価格Ｐｓｔａｒｔ、最低価格Ｐｍｉｎ、希望期間、変更形式の各情報、価格変更設定の有無、出品物の画像を設定する。その後、端末装置２のユーザＵは、操作部１３を操作して、出品ボタン５９を選択（クリック）する。端末装置２のユーザＵが出品ボタン５９を選択すると、端末装置２の処理部１５は、設定された情報を含む出品要求を出品物取引処理装置１へ送信する。
【００４９】
出品受付部４１は、出品者の端末装置２から出品情報を含む出品要求を受け付けた場合、出品要求に含まれる情報を出品情報記憶部３２に記憶された出品情報テーブルに設定する。図６は、出品情報記憶部３２に記憶される出品情報テーブルの一例を示す図である。
【００５０】
図６に示す出品情報テーブルは、「出品ＩＤ」に対し、「出品者ＩＤ」、「商品名」、「商品説明」、「開始価格」、「現在価格」、「最低価格」、「登録履歴」、「コメント履歴」、「閲覧履歴」、「出品開始日時」、「価格変更設定」、「希望期間」、「変更形式」が関連付けられた情報である。なお、図示していないが、出品情報テーブルは、出品物に関するコメントなどの情報も含まれる。
【００５１】
「出品ＩＤ」は、出品要求毎に割り当てられる識別情報であり、「出品者ＩＤ」は、出品要求の出品情報に含まれる出品者のユーザＩＤである。なお、ユーザＵ１〜Ｕｎは、出品物取引処理装置１が提供する出品物取引サービスのユーザであり、ユーザＵ１〜ＵｎのユーザＩＤは、Ｕ１〜Ｕｎ（ｎは２以上の整数）であるものとする。
【００５２】
また、「出品者ＩＤ」、「商品名」、「商品説明」、「開始価格」、「最低価格」、「価格変更設定」、「希望期間」および「変更形式」は、出品要求の出品情報に含まれる商品名、商品説明、開始価格、最低価格、価格変更設定、希望期間、変更形式のそれぞれの情報が割り当てられる。「価格変更設定」は、取引価格Ｐの動的な変更を行うか否かを示す情報である。
【００５３】
「出品開始日時」は、出品物取引サービスにおいて出品物の出品が開始された日時であり、「現在価格」は、現時点での取引価格Ｐの情報である。「登録履歴」は、出品物画面（図８参照）の登録ボタン６５が選択（押下）された日時や回数（以下、登録数Ｎｅと記載する）などの情報であり、「コメント履歴」は、出品物取引に関して書き込まれたコメントやコメントの数（以下、コメント数Ｎｃと記載する）の情報である。
【００５４】
また、「閲覧履歴」は、後述する出品物画面（図８参照）が閲覧された日時や回数（以下、閲覧数Ｎｖと記載する）などの情報である。「価格変更設定」は、取引価格Ｐの動的な変更を行うか否かを示す情報であり、「希望期間」は、品物の出品開始から出品物が購入されるまでの期間の希望期間である。また、「変更形式」は、取引価格Ｐの変更形式である。
【００５５】
例えば、出品ＩＤ「Ｃ１」に対し、出品者のユーザＩＤ「Ｕ１」、商品名「商品Ａ」、商品説明「新品同様・・・」、出品開始日時「３／１０  １８：００」、開始価格「￥６００」、現在価格「￥５５０」、最低価格「￥４００」、価格変更設定「あり」、希望期間「１日」、変更形式「１」、などがそれぞれ関連付けられて出品情報として出品情報記憶部３２に記憶される。なお、変更形式「１」は、変更形式として第１形式が設定されていることを示す。変更形式として第２形式がされている場合、変更形式「２」になり、変更形式として第３形式がされている場合、変更形式「３」になる。
【００５６】
また、出品ＩＤ「Ｃ２」に対し、出品者のユーザＩＤ「Ｕ２」、商品名「商品Ｂ」、商品説明「少し汚れ・・・」、出品日時「３／１１  １２：００」、開始価格「￥８００」、現在価格「￥８００」、価格変更設定「なし」などがそれぞれ関連付けられて出品情報として出品情報記憶部３２に記憶される。なお、出品ＩＤ「Ｃ２」の出品物については、価格変更設定「なし」が設定されているため、出品ＩＤ「Ｃ２」に対しては取引価格Ｐに対する動的な変更処理は適用されない。
【００５７】
また、図６に示す例では、出品ＩＤ「Ｃ３」に対し、最低価格は設定されておらず、価格変更設定「あり」が設定されている。そのため、出品ＩＤ「Ｃ３」の出品物に対して、は取引価格Ｐに対する動的な価格変更処理が適用され、かつ、取引価格Ｐの下限値は、出品物取引処理装置１において予め設定された固定値になる。かかる固定値は、例えば、開始価格から所定割合の値または所定値（例えば、￥１００）である。
【００５８】
出品受付部４１は、出品要求に対応する出品物の出品物取引処理が開始された後に、出品要求時に設定していない情報を含む追加設定要求を受け付け、かかる追加設定要求に含まれる情報を出品情報テーブルに設定する。これにより、例えば、出品要求時に最低価格や価格変更設定の情報が設定されていない状態であっても、出品物の取引開始後に最低価格や価格変更設定を設定することができる。また、出品要求時に設定した情報であっても、出品物の取引開始後に変更（再設定）することができる。
【００５９】
また、出品受付部４１は、出品要求に対応する出品物の出品物取引処理が開始された後に、端末装置２から出品要求時に設定された情報のうち１以上の情報の設定を解除する設定解除要求を受け付け、かかる設定解除要求に含まれる情報を出品情報テーブルから削除することもできる。
【００６０】
〔２．３．２．閲覧処理部４２〕
閲覧処理部４２（図４参照）は、端末装置２から閲覧要求を受け付ける。かかる閲覧要求には、例えば、端末装置２のユーザＵのユーザＩＤなどの情報が含まれる。閲覧処理部４２は、端末装置２からの閲覧要求を受け付けると、出品物一覧画面の情報を端末装置２へ送信する。これにより、出品物の情報が端末装置２へ配信される。なお、閲覧要求は、例えば、端末装置２における出品物取引処理アプリケーションの起動時に端末装置２の処理部１５が出品物取引処理装置１へ送信する。
【００６１】
図７は、端末装置２に表示された出品物一覧画面６１の一例を示す図である。図７に示すように、出品物一覧画面６１には、複数の表示領域６２のそれぞれに出品物に関する情報が表示される。かかる出品物一覧画面６１は、例えば、縦長のページ画面であり、端末装置２のユーザＵは、スクロール操作によって多数の出品物の情報を閲覧することが可能である。
【００６２】
かかる出品物一覧画面６１は、例えば、出品開始日時が新しい出品物ほど優先して上位に表示されるように閲覧処理部４２によって生成される。図７に示す例では、商品Ａが最も出品開始日時が新しく、次に商品Ｘが新しく、次に商品Ｇが新しい。すなわち、商品Ａ、商品Ｘ、商品Ｇ、商品Ｙ、商品Ｗ、商品Ｋの順に出品開始日時が古くなっている。
【００６３】
なお、後述するように、閲覧処理部４２は、販売促進費が高い出品物ほど優先して上位に表示されるように出品物一覧画面６１を生成することもできる。この場合、閲覧処理部４２は、例えば、出品者によって設定される販売促進割合と取引価格Ｐの乗算値である販売促進費が高い出品物ほど優先して上位に表示されるように出品物一覧画面６１を生成する。販売促進割合の情報は、ユーザＵによって指定され、例えば、出品情報テーブルに設定される。
【００６４】
端末装置２のユーザＵは、出品物一覧画面６１のうち所望の出品物の表示領域を選択（クリック）することで、選択された出品物の出品ＩＤを含む個別閲覧要求が端末装置２から出品物取引処理装置１へ送信される。
【００６５】
閲覧処理部４２は、端末装置２から送信される個別閲覧要求を受け付けると、個別閲覧要求に含まれる出品ＩＤに対応する閲覧履歴の情報を更新する。閲覧履歴の情報には、後述する出品物画面６３を閲覧したユーザＵのユーザＩＤや閲覧日時、出品物画面６３を閲覧した回数（閲覧数Ｎｖ）などの情報が含まれる。
【００６６】
また、閲覧処理部４２は、端末装置２から送信される個別閲覧要求を受け付けると、出品物画面６３の情報を端末装置２へ送信する。図８は、端末装置２に表示された出品物画面６３の一例を示す図である。
【００６７】
図８に示すように、出品物画面６３には、出品物画像表示領域６４と、登録ボタン６５と、コメントボタン６６と、シェアボタン６７と、商品説明領域６８と、取引価格表示領域７０と、購入手続ボタン７１とが含まれる。なお、図示しないが、出品物画面６３には、出品者の情報、関連商品の情報などが含まれており、端末装置２のユーザＵは、出品物画面６３をスクロールすることによって、出品者の情報、関連商品（出品物と関連する他の出品物）の情報などを端末装置２の表示領域に表示することができる。
【００６８】
出品物画像表示領域６４には、出品物の画像が表示され、商品説明領域６８には、出品物の説明文が表示される。出品物の説明文には、出品物に関する情報の他、例えば、配送方法や配送料金の負担などの情報が含まれる。
【００６９】
登録ボタン６５は、例えば、出品物画面６３に画像が表示されている出品物の購入を検討している端末装置２のユーザＵによって選択（クリック）される。ユーザＵが登録ボタン６５を選択した場合、ユーザＩＤおよび出品ＩＤを含む登録要求が端末装置２から出品物取引処理装置１へ送信される。
【００７０】
コメントボタン６６は、出品物画面６３に画像が表示されている出品物に対応する後述のコメント画面を要求するためのボタンである。ユーザＵがコメントボタン６６を選択した場合、端末装置２の処理部１５は、ユーザＩＤおよび出品ＩＤを含むコメント要求を出品物取引処理装置１へ送信する。
【００７１】
シェアボタン６７は、例えば、出品物画面６３に画像が表示されている出品物をソーシャルネットワークやメールなどによって他者とシェアするためのボタンである。ユーザＵがシェアボタン６７を選択した場合、処理部１５は、出品物画面６３の情報（例えば、ＵＲＬなど）をソーシャルネットワークやメールを介して送信する。また、処理部１５は、シェアボタン６７が操作されたことを示す情報を出品物画面６３の出品物に対応する出品ＩＤやユーザＩＤと共に送信する。
【００７２】
取引価格表示領域７０には、出品物についての現在の取引価格Ｐの情報が表示される。例えば、出品情報テーブルが図６に示す状態であり、出品ＩＤ「Ｃ１」の出品物の場合、現在価格「￥５５０」が取引価格Ｐとして表示される。
【００７３】
購入手続ボタン７１は、出品物画面６３に画像が表示されている出品物を購入するためのボタンである。端末装置２のユーザＵは、出品物画面６３に画像が表示されている出品物の購入を決定した場合、購入手続ボタン７１を選択（クリック）する。購入手続ボタン７１が選択された場合、端末装置２の処理部１５は、ユーザＩＤおよび出品ＩＤを含む購入要求を端末装置２へ送信する。
【００７４】
なお、閲覧処理部４２は、出品物画面６３の情報を生成する時においてかかる出品物画面６３をリアルタイムで見ているユーザＵの数（以下、リアルタイム閲覧ユーザ数と記載する）や閲覧数Ｎｖを出品物画面６３に表示することができ、リアルタイム閲覧ユーザ数が多いほどユーザＵが購入する可能性を高めることができる。
【００７５】
〔２．３．３．登録処理部４３〕
登録処理部４３（図４参照）は、端末装置２から送信される登録要求を受け付け、かかる登録要求に含まれる出品ＩＤに対応する出品情報テーブルの「登録履歴」を更新する。例えば、出品情報テーブルが図６に示す状態で、出品ＩＤ「Ｃ１」の出品物に対する登録要求がある場合、登録処理部４３は、出品情報テーブルにおいて、登録要求に含まれるユーザＩＤや登録要求の日時などを更新し、また、登録要求の回数（以下、登録数Ｎｅと記載する）を更新する。
【００７６】
また、登録処理部４３は、端末装置２から送信される登録要求を受け付けると、ユーザＩＤと出品ＩＤとを関連付けて登録結果としてユーザ情報記憶部３１に記憶する。端末装置２のユーザＵは、端末装置２を操作してユーザＩＤを含む登録一覧要求を出品物取引処理装置１へ送信することができる。
【００７７】
登録処理部４３は、端末装置２から送信される登録一覧要求を受け付けると、登録一覧要求に含まれるユーザＩＤに基づいて、かかるユーザＩＤに関連付けられた出品ＩＤをユーザ情報記憶部３１の登録結果から取得する。
【００７８】
そして、登録処理部４３は、登録結果に含まれる出品ＩＤに対応する出品情報を出品情報記憶部３２から取得し、取得した出品情報を含む登録出品物一覧の情報を端末装置２へ送信する。これにより、端末装置２のユーザＵは、登録した出品物の情報を容易に知ることができ、例えば、登録ボタン６５をお気に入り登録のために用いることができる。なお、登録出品物一覧はウォッチリストとも呼ばれる。
【００７９】
また、登録処理部４３は、端末装置２から送信されるコメント要求を受け付けると、コメント要求に含まれる出品ＩＤに対応する出品物に関するコメントの情報を出品情報テーブルから取得し、取得したコメントを含むコメント画面の情報を端末装置２へ送信する。
【００８０】
端末装置２の表示制御部１６は、コメント画面の情報を取得すると、かかるコメント画面の情報に基づいて、コメント画面（図示せず）を表示する。かかるコメント画面には、コメント要求に含まれる出品ＩＤに対応する出品物に関して出品者や出品者以外のユーザＵが入力して登録したコメントが表示される。
【００８１】
端末装置２のユーザＵは、かかるコメント画面へコメントを入力することができ、このように入力されたコメントは、処理部１５によって出品ＩＤと共に出品物取引処理装置１へ送信される。登録処理部４３は、端末装置２から送信されたコメントやコメントの日時を出品ＩＤに関連付けて出品情報テーブルの「コメント履歴」に設定し、また、「コメント履歴」のコメント数Ｎｃを更新して、出品情報テーブルを更新する。
【００８２】
また、登録処理部４３は、出品物毎にシェアボタン６７の操作履歴を出品情報テーブルのシェア履歴（図示せず）に設定することができる。出品物毎のシェア履歴には、例えば、シェアボタン６７が操作された日時やシェアボタン６７を操作したユーザＵのユーザＩＤ、および、シェアボタン６７が操作された回数（以下、シェア回数Ｎｓと記載する）などが含まれる。
【００８３】
〔２．３．４．購入受付部４４〕
購入受付部４４（図４参照）は、端末装置２から送信される購入要求を受け付けると、かかる購入要求の情報をユーザ情報記憶部３１に記憶する。
【００８４】
〔２．３．５．購入処理部４５〕
購入処理部４５は、購入受付部４４によって購入要求が受け付けられた場合、購入要求時の取引価格Ｐでの購入処理を行う。例えば、出品情報テーブルが図６に示す状態であり、出品ＩＤ「Ｃ１」の出品物に対して購入要求がある場合、購入処理部４５は、現在価格「￥５５０」を取引価格Ｐとして購入処理を行う。かかる購入処理は、例えば、クレジットカードによる決済や電子マネーによる決済によって行われる。
【００８５】
購入処理部４５は、購入処理を行った出品物の出品処理を終了し、かかる出品物を出品物一覧画面への表示対象から除外する。
【００８６】
〔２．３．６．取引価格変更部４６〕
取引価格変更部４６は、出品情報記憶部３２に記憶された出品情報テーブルに基づき、各出品物について取引価格Ｐを開始価格Ｐｓｔａｒｔに設定した後、出品物が購入されない場合には、取引価格Ｐを段階的に下げる処理を行う。取引価格Ｐを段階的に下げる処理は、出品情報テーブルに設定された情報に基づいて行われる。
【００８７】
取引価格変更部４６は、出品情報テーブルにおいて価格変更設定が「あり」に設定されている出品物の取引価格Ｐを段階的に下げる処理を動的に変更し、価格変更設定が「なし」に設定されている出品物の取引価格Ｐを段階的に下げる処理を行わない。
【００８８】
例えば、取引価格変更部４６は、価格変更設定が「あり」に設定されている出品物に対する注目度、出品物情報（出品物の説明や画像）の情報量、時間帯、出品物と同一または類似の取引対象の取引価格などに基づいて、取引価格Ｐを段階的に下げていく態様を動的に変更することができる。
【００８９】
図１０は、取引価格変更部４６の構成の一例を示す図である。図１０に示すように、取引価格変更部４６は、注目度判定部７２と、情報量判定部７３と、相場価格判定部７４と、物品状態判定部７５と、価格変更処理部７６とを備える。
【００９０】
例えば、取引価格変更部４６の価格変更処理部７６は、出品物に対する注目度が高い場合、取引価格Ｐを下げる処理を停止または取引価格Ｐの下げ幅ΔＰを基準下げ幅ΔＰｂよりも小さくすることができる。出品物に対する注目度は、例えば、登録数Ｎｅ、コメント数Ｎｃ、閲覧数Ｎｖおよびシェア回数Ｎｓなどに基づき、注目度判定部７２によって判定される。
【００９１】
取引価格変更部４６の注目度判定部７２は、例えば、出品物に対する登録数Ｎｅ、コメント数Ｎｃ、閲覧数Ｎｖおよびシェア回数Ｎｓにそれぞれ重み付けを行って加算した値を出品物に対する注目度として判定することができる。例えば、注目度判定部７２は、下記式（１）に基づいて、出品物に対する注目度Ｄａを演算することができる。なお、Ｋ１〜Ｋ４は、重み付けのための係数である。なお、Ｋ１〜Ｋ４は、それぞれ０以上の値である。
Ｄａ＝Ｋ１×Ｎｅ＋Ｋ２×Ｎｃ＋Ｋ３×Ｎｖ＋Ｋ４×Ｎｓ      ・・・（１）
【００９２】
また、注目度判定部７２は、出品情報テーブルに設定されたコメント数をコメント数Ｎｃとすることができ、また、出品情報テーブルに設定されたコメント数のうち、出品者のコメントを除いた数をコメント数Ｎｃとすることもできる。
【００９３】
注目度判定部７２は、直近の所定期間（例えば、１時間）の登録数Ｎｅ、コメント数Ｎｃ、閲覧数Ｎｖおよびシェア回数Ｎｓに基づいて、上記式（１）を用いて注目度Ｄａを所定期間（例えば、１０分間）毎に演算することができる。なお、閲覧数Ｎｖは、リアルタイムに出品物画面を閲覧しているユーザＵの数であるリアルタイム閲覧数であってもよい。
【００９４】
また、注目度判定部７２は、取引価格Ｐの変動が無い状態での単位期間当たりの登録数Ｎｅ、コメント数Ｎｃ、閲覧数Ｎｖおよびシェア回数Ｎｓに基づいて、上記式（１）を用いて注目度Ｄａを演算することができる。単位期間は、例えば、１時間、３時間などの期間である。
【００９５】
また、注目度判定部７２は、取引価格Ｐを変更したタイミングから発生した登録数Ｎｅ、コメント数Ｎｃ、閲覧数Ｎｖおよびシェア回数Ｎｓに基づいて、上記式（１）を用いて注目度Ｄａを所定期間毎に演算することができる。すなわち、注目度判定部７２は、ある取引価格Ｐに対する登録数Ｎｅ、コメント数Ｎｃ、閲覧数Ｎｖおよびシェア回数Ｎｓに基づいて、注目度Ｄａを演算することができる。
【００９６】
なお、注目度判定部７２は、登録数Ｎｅ、コメント数Ｎｃ、閲覧数Ｎｖおよびシェア回数Ｎｓのうち１以上の情報に基づいて出品物に対する注目度Ｄａを演算することもできる。例えば、注目度判定部７２は、登録数Ｎｅおよび閲覧数Ｎｖにそれぞれ重み付けを行って加算した値を出品物に対する注目度Ｄａとして判定することができる。
【００９７】
取引価格変更部４６の価格変更処理部７６は、例えば、所定時間間隔Ｔｃ（基準下げ間隔ΔＴｂの一例）で取引価格Ｐを下げる処理を行い、出品情報記憶部３２の出品情報テーブルの現在価格を更新する。例えば、取引価格変更部４６の価格変更処理部７６は、価格変更設定「あり」かつ変更形式「１」に設定された出品物（例えば、図６に示す出品ＩＤ「Ｃ１」の出品物）の取引価格Ｐを所定時間間隔Ｔｃで取引価格Ｐを下げる処理を行う。
【００９８】
図９は、取引価格Ｐの変化の一例を示す図である。図９に示す例では、所定時間間隔Ｔｃ毎の各時刻ｔ１、ｔ２、ｔ３、ｔ４、ｔ５において、所定の下げ幅ΔＰ（例えば、基準下げ幅ΔＰｂ）で取引価格Ｐが下がっていき、時刻ｔ５において、取引価格Ｐが最低価格Ｐｍｉｎになっている。このように、出品物が購入されない場合には、取引価格Ｐを段階的に下げる処理を行う。そのため、例えば、出品者による取引価格Ｐの設定が購入検討者の希望価格と乖離しているような場合であっても、出品物が購入されない可能性を低減することができる。
【００９９】
なお、取引価格変更部４６の価格変更処理部７６は、取引価格Ｐを下げる処理を行うタイミング（以下、変更タイミングと記載する）を等間隔にするのではなく、変更タイミングを不等間隔に設定することもできる。例えば、価格変更処理部７６は、価格変更設定「あり」かつ変更形式「２」に設定された出品物（例えば、図６に示す出品ＩＤ「Ｃ３」の出品物）に対して変更タイミングの間隔（基準下げ間隔ΔＴｂ）を徐々に短くしていくことができる。これにより、取引価格Ｐを二次曲線的に下げることができる。そのため、例えば、希望期間（例えば、１日）に近づいてきた場合に取引価格Ｐを急激に下げることができ、出品物が購入される可能性を高めることができる。
【０１００】
また、価格変更処理部７６は、ユーザＵによって設定された変更形式に応じた下げ間隔ΔＴにすることに代えてまたは加えて、ユーザＵによって設定された変更形式に応じた基準下げ幅ΔＰｂにすることもできる。
【０１０１】
例えば、価格変更処理部７６は、ユーザＵによって設定された変更形式が第１形式である場合、変更タイミングを等間隔とし、かつ、基準下げ幅ΔＰｂを一定にする。これにより、取引価格Ｐを一次関数的に段階的に下げることができる。また、価格変更処理部７６は、ユーザＵによって設定された変更形式が第２形式である場合、変更タイミングを等間隔または間隔を徐々に小さくし、かつ、基準下げ幅ΔＰｂを大きくしていく。これにより、取引価格Ｐを二次曲線的に下げることができる。
【０１０２】
また、価格変更処理部７６は、ユーザＵによって設定された変更形式が第３形式である場合、第１形式および第２形式のうち所定の形式条件に応じた変更形式を選択し、選択した変更形式で下げ間隔ΔＴおよび基準下げ幅ΔＰｂの少なくとも一つを変動させる。例えば、価格変更処理部７６は、注目度Ｄａが所定値以上である場合、第１形式を選択し、注目度Ｄａが所定値未満である場合、第２形式を選択する。
【０１０３】
また、価格変更処理部７６は、出品物情報の情報量Ｍｃが所定量以上である場合には、第１形式を選択し、注目度Ｄａが所定値未満である場合、情報量Ｍｃが所定量未満である場合には、第２形式を選択することもできる。なお、第１形式および第２形式は一例であって、価格変更処理部７６は、ユーザＵによって設定された変更形式が第３形式である場合、その他の形式を選択することもできる。
【０１０４】
また、取引価格変更部４６の価格変更処理部７６は、出品物が購入されやすいような時間帯や曜日の変更タイミングの間隔を短くすることもできる。例えば、価格変更処理部７６は、出品物取引処理サービスの利用が多い時間帯や曜日における変更タイミングの間隔を短くし、出品物取引処理サービスの利用が少ない時間帯や曜日における変更タイミングの間隔を長くすることができる。
【０１０５】
価格変更処理部７６は、例えば、出品物に対する注目度Ｄａが所定値以上である場合、取引価格Ｐを下げる処理を停止または取引価格Ｐの下げ幅ΔＰを小さくすることができる。図１１は、取引価格Ｐの変化と注目度Ｄａの変化との関係の一例を示す図である。
【０１０６】
図１１に示す例では、価格変更処理部７６は、時刻ｔ１において、注目度Ｄａが所定値Ｓｔｈ以上であるため、取引価格Ｐを下げる処理を停止し、また、時刻ｔ２において、注目度Ｄａが所定値Ｓｔｈ未満であるため、取引価格Ｐを下げ幅ΔＰ分だけ下げている。
【０１０７】
同様に、価格変更処理部７６は、時刻ｔ３において、注目度Ｄａが所定値Ｓｔｈ以上であるため、取引価格Ｐを下げる処理を停止し、時刻ｔ４、ｔ５、ｔ６、ｔ７において、注目度Ｄａが所定値Ｓｔｈ未満であるため、取引価格Ｐを下げ幅ΔＰ分ずつ下げている。
【０１０８】
図１１に示す例では、価格変更処理部７６は、注目度Ｄａが所定値Ｓｔｈ以上である場合に、取引価格Ｐを下げる処理を停止しているが、価格変更処理部７６は、注目度Ｄａが所定値Ｓｔｈ以上である場合に、下げ幅ΔＰを小さくすることができる。図１２は、取引価格Ｐの変化と注目度Ｄａの変化との関係の他の例を示す図である。
【０１０９】
図１２に示す例では、価格変更処理部７６は、時刻ｔ１において、注目度Ｄａが所定値Ｓｔｈ以上であるため、取引価格Ｐの下げ幅ΔＰを小さくし、時刻ｔ２において、注目度Ｄａが所定値Ｓｔｈ未満であるため、取引価格Ｐの下げ幅ΔＰを大きくしている。
【０１１０】
同様に、価格変更処理部７６は、時刻ｔ３において、注目度Ｄａが所定値Ｓｔｈ以上であるため、取引価格Ｐの下げ幅ΔＰを小さくし、時刻ｔ４、ｔ５、ｔ６、ｔ７において、注目度Ｄａが所定値Ｓｔｈ未満であるため、取引価格Ｐの下げ幅ΔＰを大きくしている。
【０１１１】
なお、価格変更処理部７６は、各時刻ｔ１〜ｔ７において、注目度Ｄａに応じた下げ幅ΔＰで取引価格Ｐを下げる処理を行うこともできる。例えば、価格変更処理部７６は、下記式（２）の演算によって、下げ幅ΔＰを求めることもできる。なお、式（２）において、「Ｋ５」は係数である。
ΔＰ＝Ｋ５×Ｄａ      ・・・（２）
【０１１２】
また、価格変更処理部７６は、注目度Ｄａに応じて取引価格Ｐを下げるタイミング（下げ間隔ΔＴ）を変更することができる。例えば、価格変更処理部７６は、注目度Ｄａが高いほど取引価格Ｐを下げるタイミングを長くすることができる。例えば、価格変更処理部７６は、取引価格Ｐがある値に設定されてからの注目度Ｄａの所定時間当たりの平均値を演算し、かかる平均値が大きいほどタイミングを長くすることができる。
【０１１３】
また、価格変更処理部７６は、価格変更設定「あり」かつ希望期間が設定された出品物（例えば、図６に示す出品ＩＤ「Ｃ１」の出品物）の取引価格Ｐを希望期間（例えば、１日）で購入されるように、希望期間に取引価格Ｐが最低価格Ｐｍｉｎまで下がるように、所定時間間隔Ｔｃまたは取引価格Ｐの下げ幅ΔＰを大きくすることができる。
【０１１４】
例えば、希望期間が「Ｔｘ」であり、開始価格Ｐｓｔａｒｔと最低価格Ｐｍｉｎとの価格差Ｐｄｉｆｆが「￥２００」であるとする。この場合、価格変更処理部７６は、所定時間間隔Ｔｃが到来する毎に基準下げ幅ΔＰｂを下記式（３）の演算によって求めることができる。
ΔＰｂ＝Ｐｄｉｆｆ／（Ｔｘ／Ｔｃ）      ・・・（３）
【０１１５】
また、価格変更処理部７６は、注目度Ｄａが所定値Ｓｔｈ以上である場合に取引価格Ｐの下げ幅ΔＰを基準下げ幅ΔＰｂよりも小さくし、注目度Ｄａが所定値Ｓｔｈ未満である場合に取引価格Ｐの下げ幅ΔＰを基準下げ幅ΔＰｂよりも大きくすることもできる。これにより、注目度Ｄａに応じて取引価格Ｐを下げていく態様を変更しつつ、希望期間に取引価格Ｐを最低価格Ｐｍｉｎまで下げることができ、購入される可能性を高めることができる。
【０１１６】
なお、価格変更処理部７６は、取引価格Ｐの下げ幅ΔＰを基準下げ幅ΔＰｂとし、取引価格Ｐを下げるタイミングを注目度Ｄａが高いほど長くし、注目度Ｄａが低いほど短くすることができる。これによっても、購入される可能性を高めることができる。また、価格変更処理部７６は、注目度Ｄａに応じて取引価格Ｐの下げ幅ΔＰと取引価格Ｐを下げるタイミングとを変更することもできる。
【０１１７】
このように、価格変更処理部７６は、取引価格Ｐを段階的に下げていく態様を注目度Ｄａに応じて動的に変更することができる。注目度Ｄａが高い出品物は、取引価格Ｐが適切に設定されている可能性が高いことから、取引価格Ｐを下げる処理を停止または取引価格Ｐの下げ幅ΔＰを小さくすることによって、取引価格Ｐが低くなりすぎることを防止し、出品者が受ける利益を向上させることができる。
【０１１８】
一方、注目度Ｄａが低い出品物は、取引価格Ｐが高めに設定されている可能性が高いことから、取引価格Ｐの下げ幅ΔＰを大きくしたり取引価格Ｐの下げ間隔ΔＴを小さくしたりすることによって、出品物が購入される可能性を高めることができる。
【０１１９】
また、価格変更処理部７６は、出品物情報（出品物の説明や画像）の情報量Ｍｃに基づいて、取引価格Ｐを段階的に下げていく態様を動的に変更することができる。例えば、情報量判定部７３は、下記式（４）の演算によって、情報量判定部７３によって判定された出品物情報の情報量Ｍｃを演算することができる。なお、式（４）において、「Ｋ６」、「Ｋ７」は係数、「Ｍｔ」は、出品物の説明文の長さ（例えば、テキストの文字数）、「Ｍｐ」は、出品物の画像の数である。なお、Ｋ６、Ｋ７は、０以上の値である。
Ｍｃ＝Ｋ６×Ｍｔ＋Ｋ７×Ｍｐ      ・・・（４）
【０１２０】
価格変更処理部７６は、注目度Ｄａの場合と同様に、情報量Ｍｃに基づいて、取引価格Ｐを下げる処理を停止することができ、また、情報量Ｍｃが多いほど、取引価格Ｐの下げ幅ΔＰを小さくしたり、取引価格Ｐの下げ間隔ΔＴを長くしたりすることができる。なお、価格変更処理部７６は、出品物の説明文の長さおよび出品物の画像のいずれか一方に基づいて出品物情報の情報量Ｍｃを演算することもできる。
【０１２１】
また、価格変更処理部７６は、注目度Ｄａの場合と同様に、出品物と同じ種類または類似の種類の他の複数の出品物（以下、関連出品物と記載する）の取引価格に基づいて、取引価格Ｐを段階的に下げていく態様を動的に変更することができる。例えば、価格変更処理部７６は、出品物の取引価格が関連出品物の平均取引価格や平均購入価格よりも高額であるほど、出品物の取引価格Ｐの下げ幅ΔＰを大きくすることができる。
【０１２２】
また、価格変更処理部７６は、出品物の取引価格が関連出品物の平均取引価格や平均購入価格よりも低額なほど、出品物の取引価格Ｐの下げ幅ΔＰを小さくすることができる。なお、「平均取引価格」は、例えば、現時点で出品されている複数の関連出品物の現地点の取引価格Ｐ（現在価格）の平均値であり、また、「平均購入価格」は、例えば、購入された複数の関連出品物の購入時の取引価格Ｐ（購入価格）の平均値である。
【０１２３】
なお、取引価格変更部４６は、例えば、出品物の説明文および画像の共通性に基づいて、関連出品物を判定することができる。例えば、取引価格変更部４６は、出品物の説明文に対するテキストマイニングの結果と出品物の画像に対する類似画像検索の結果との組み合わせによって関連出品物を判定することができる。
【０１２４】
また、価格変更処理部７６は、出品物の相場価格に基づいて、取引価格Ｐを段階的に下げていく態様を動的に変更することができる。例えば、価格変更処理部７６は、出品物の取引価格が相場価格よりも高額であるほど、出品物の取引価格Ｐの下げ幅ΔＰを大きくすることもできる。なお、出品物の相場価格は、出品物と同一の商品（以下、同一商品と記載する）の相場価格であるが出品物に類似する商品の相場価格を考慮したものであってもよい。
【０１２５】
出品物の相場価格は、相場価格判定部７４によって判定される。相場価格判定部７４は、例えば、出品情報テーブルに基づいて、同一商品の平均取引価格や平均購入価格を出品物の相場価格として判定することができる。同一商品の平均取引価格は、関連出品物の現時点での取引価格の平均値であり、同一商品の平均購入価格は、同一商品が購入されたときの取引価格Ｐの平均値である。なお、相場価格判定部７４は、外部サーバから出品物の相場価格を取得することもできる。
【０１２６】
また、価格変更処理部７６は、例えば、出品物が所定条件（例えば、注目度Ｄａに対する条件）を満たし、かつ、出品物の取引価格Ｐが同一商品の相場価格よりも高い場合、同一商品の相場価格よりも高い取引価格帯で出品物の取引価格Ｐを段階的に下げることができる。この場合、価格変更処理部７６は、取引価格Ｐの下げ幅ΔＰを基準下げ幅ΔＰｂよりも小さくしたり、下げ間隔ΔＴを基準下げ間隔ΔＴｂよりも小さくすることで、取引価格Ｐを緩やかに下げていくことができる。
【０１２７】
これにより、適性な取引価格Ｐで購入の可能性を高めることができる。なお、上記「所定条件」は、出品物が購入される可能性が高い場合であり、例えば、出品物情報の情報量Ｍｃが設定量以上であるという条件、注目度Ｄａが設定閾値以上であるという条件、または、出品物が取引成立可能性が高い商品であるという条件である。
【０１２８】
また、価格変更処理部７６は、出品物の状態に基づいて、取引価格Ｐを段階的に下げていく態様を動的に変更することができる。例えば、価格変更処理部７６は、出品物の状態が良いほど取引価格Ｐの下げ幅ΔＰを基準下げ幅ΔＰｂよりも小さくしたり、下げ間隔ΔＴを基準下げ間隔ΔＴｂよりも小さくすることで、取引価格Ｐを緩やかに下げていくことができる。
【０１２９】
かかる出品物の状態は、物品状態判定部７５によって判定される。物品状態判定部７５は、例えば、外部サーバから同一商品の新品の画像（以下、新品画像と記載する）の情報を収集する。物品状態判定部７５は、新品画像と出品物の画像（以下、出品物画像と記載する）とを比較し、新品画像と出品物画像との差から出品物の状態を判定する。なお、かかる出品物画像は、物品状態判定部７５によって出品情報テーブルから取得される。
【０１３０】
例えば、出品物画像と新品画像との差が小さいほど出品物の状態が良いと判定し、出品物画像と新品画像との差が大きいほど出品物の状態が悪いと判定することができる。物品状態判定部７５は、例えば、出品物画像と新品画像との差により、出品物の表面の傷、欠落、罅（ひび）などや出品物の色あせなどを判定し、かかる判定結果に基づき、出品物の状態を判定することができる。
【０１３１】
また、物品状態判定部７５は、出品情報テーブルに設定された出品物の説明文や出品物に対するコメントから劣化した部位の情報量の情報を抽出し、抽出した情報に基づき、出品物の状態を判定することができる。
【０１３２】
例えば、出品物の説明文や出品物に対するコメントに「出品物画像にある取っ手の部分が多少、黒ずんでいます」などの情報が含まれている場合、程度を示す「多少」や状態を示す「黒ずんでいます」などの情報から出品物の状態を判定することができる。物品状態判定部７５は、程度を示す用語、状態を示す用語に加え、部位を示す用語から出品物の状態を判定するモデル（例えば、機械学習モデル）から出品物の状態を判定することができる。
【０１３３】
また、取引価格変更部４６は、注目度Ｄａの場合と同様に、例えば、出品者に対する購入者の評価（以下、出品者評価と記載する）が高いほど、取引価格Ｐを下げる処理を停止することができ、また、出品者評価が高いほど、取引価格Ｐの下げ幅ΔＰを小さくしたり、取引価格Ｐの下げ間隔ΔＴを長くしたりすることができる。出品者評価は、例えば、端末装置２から送信される情報であり、例えば、出品物取引処理装置１から出品物の購入処理後に購入者の端末装置２に送信される出品者評価画面へのユーザ操作によって入力され、出品物取引処理装置１へ送信される。
【０１３４】
また、取引価格変更部４６は、注目度Ｄａ、情報量Ｍｃ、時間帯や曜日、関連出品物の平均取引価格や平均購入価格、および、出品者評価のうちいずれか一つに基づいて、取引価格Ｐを段階的に下げていく態様を動的に変更するがかかる例に限定されない。すなわち、取引価格変更部４６は、注目度Ｄａ、情報量Ｍｃ、時間帯や曜日、関連出品物の平均取引価格や平均購入価格、および、出品者評価のうち２以上を組み合わせて取引価格Ｐを段階的に下げていく態様を動的に変更することができる。
【０１３５】
例えば、取引価格変更部４６は、注目度Ｄａおよび情報量Ｍｃを重み付けして加算した結果や平均した結果を変更スコアとして演算し、かかる変更スコアに基づいて、取引価格Ｐを段階的に下げていく態様を動的に変更することができる。この場合、取引価格変更部４６は、変更スコアが大きいほど、取引価格Ｐを下げる処理を停止または取引価格Ｐの下げ幅をΔＰ小さくしたり、取引価格Ｐの下げ間隔ΔＴを長くしたりすることができる。
【０１３６】
なお、取引価格変更部４６は、最低価格Ｐｍｉｎの設定がされていない場合や出品物の出品後に最低価格Ｐｍｉｎの設定が出品者によって出品情報テーブルから解除（削除）された場合、最低価格Ｐｍｉｎとは無関係に取引価格Ｐを下げる。これにより、出品物が購入されない状態が継続する場合に、取引価格Ｐを最低価格Ｐｍｉｎよりも下げることができる。
【０１３７】
〔２．３．７．通知部４７〕
通知部４７は、例えば、取引価格Ｐが最低価格Ｐｍｉｎになった後、所定期間が経過した場合や変更スコアが小さいような場合に、最低価格Ｐｍｉｎの解除を促すメッセージを端末装置２へ通知することができる。これにより、端末装置２の表示部１２には、最低価格Ｐｍｉｎの解除を促すメッセージが表示され、端末装置２のユーザＵは、最低価格の解除を要求する設定解除要求を端末装置２から送信することで、出品物が購入される可能性を増加させることができる。
【０１３８】
また、通知部４７は、価格変更設定「あり」が設定されていない出品物（例えば、図６の出品ＩＤ「Ｃ２」の出品物）の出品者に対して、価格変更の提案を行うことができる。図１３は、通知部４７から端末装置２へ通知される情報に基づいて端末装置２で表示される通知画面の一例を示す図である。
【０１３９】
図１３に示すように、通知部４７は、例えば、注目度Ｄａが所定値よりも低い場合に、価格変更の設定（取引価格Ｐを段階的に下げる設定）を提案する通知画面８１の情報を出品者であるユーザＵの端末装置２へ送信する。これにより、出品者であるユーザＵの端末装置２の表示部１２に価格変更設定の提案を含む通知画面８１を表示させ、価格変更設定の提案を通知することができる。図１３に示す通知画面８１には、取引価格Ｐの変更内容と、提案を受け入れるかどうかを決定するためのＹｅｓボタン８２およびＮｏボタン８３が表示される。
【０１４０】
端末装置２のユーザＵは、Ｙｅｓボタン８２を操作することで、通知画面８１に含まれる取引価格Ｐの変更内容に応じた取引価格の情報と出品ＩＤとを含む再設定要求が端末装置２から出品物取引処理装置１へ送信される。出品受付部４１は、再設定要求に含まれる取引価格を出品情報テーブルに設定する。これにより、取引価格Ｐに対する動的な変更処理が適用されない出品物の出品者であるユーザＵは、出品物の取引価格Ｐを容易に変更することができる。なお、通知部４７は、例えば、注目度Ｄａが所定値よりも高い場合に、価格変更を提案する通知画面８１の情報を端末装置２へ送信することもできる。
【０１４１】
また、通知部４７は、例えば、変更形式が第２形式に設定されており、且つ、注目度Ｄａが所定値以上である場合、変更形式の第１形式への変更を提案する通知画面の情報を出品者であるユーザＵの端末装置２へ送信する。これにより、出品者であるユーザＵの端末装置２の表示部１２に変更形式の変更の提案を含む通知画面を表示させ、変更形式の変更の提案を通知することができる。この場合、通知部４７は、通知画面に閲覧数Ｎｖ（リアルタイム閲覧数でもよい）や登録数Ｎｅを表示することができ、これにより、出品者が変更形式を変更する動機付けを与えることができる。
【０１４２】
なお、通知部４７は、取引価格変更部４６と同様に、注目度Ｄａ、情報量Ｍｃ、時間帯や曜日、関連出品物の平均取引価格や平均購入価格、および、出品者評価のうちいずれか一つ以上に基づいて、取引価格Ｐの変更タイミングや下げ幅ΔＰを判定することができる。通知部４７は、判定した取引価格Ｐの変更タイミングで、判定した下げ幅ΔＰに基づく取引価格Ｐの変更内容に応じた通知画面８１の情報を端末装置２へ送信することができる。
【０１４３】
これにより、ユーザ操作に応じて、図１１や図１２に示すような取引価格Ｐの下げ態様で取引価格Ｐを変更することができる。なお、通知部４７は、取引価格変更部４６によって判定された取引価格Ｐの変更タイミングや下げ幅ΔＰを取得して、通知画面８１の情報を生成して送信することもできる。
【０１４４】
また、通知部４７は、取引価格Ｐを下げる処理と共に注目度Ｄａを上げるための販売促進費の支払いの提案を出品者のユーザＵへ行うことができる。例えば、通知部４７は、図１４に示すような通知画面９１の情報を端末装置２へ送信することができる。図１４は、端末装置２に表示される通知画面９１の一例を示す図である。
【０１４５】
図１４に示すように、販売促進費の支払いの提案内容と、提案を受け入れるかどうかを決定するためのＹｅｓボタン９２およびＮｏボタン９３が表示される。端末装置２のユーザＵは、Ｙｅｓボタン９２を操作することで、通知画面９１に含まれる販売促進割合（例えば、取引価格の１０％）の情報と出品ＩＤとを含む再設定要求が端末装置２から出品物取引処理装置１へ送信される。出品受付部４１は、再設定要求に含まれる販売促進割合を出品情報テーブルに設定する。
【０１４６】
これにより、閲覧処理部４２によって販売促進費が高い出品物ほど優先して上位に表示されるように出品物一覧画面６１が生成されるため、出品物の注目度Ｄａを上げることができ、購入の可能性を高めることができる。なお、通知部４７は、取引価格Ｐを下げる処理が行われない場合であっても、注目度Ｄａを上げるための販売促進費の支払いの提案を出品者のユーザＵへ行うことができる。
【０１４７】
〔３．出品物取引処理装置１の処理フロー〕
まず、図１５を用いて、出品物取引処理装置１における情報処理の手順の一例について説明する。図１５は、出品物取引処理装置１における情報処理の流れの一例を示すフローチャートである。かかる情報処理は、出品物毎に行われる処理である。
【０１４８】
図１５に示すように、制御部２２は、端末装置２から出品物の出品に関する要求（例えば、出品要求、追加設定要求、設定解除要求など）を受け付けたか否かを判定する（ステップＳ１０）。出品物の出品に関する要求を受け付けたと判定した場合（ステップＳ１０；Ｙｅｓ）、制御部２２は、出品物の出品に関する処理を行う（ステップＳ１１）。
【０１４９】
例えば、制御部２２は、ステップＳ１１において、端末装置２から出品物の出品に関する要求に応じた情報を出品情報テーブルに設定する。また、制御部２２は、ステップＳ１１において、端末装置２からの閲覧要求などに対して、出品物一覧画面６１の情報を生成して送信したり、出品物画面６３の情報を生成して送信したりすることができる。
【０１５０】
出品物の出品に関する要求を受け付けていないと判定した場合（ステップＳ１０；Ｎｏ）、または、ステップＳ１１の処理が終了した場合、制御部２２は、端末装置２から出品物の購入要求があるか否かを判定する（ステップＳ１２）。出品物の購入要求があると判定した場合（ステップＳ１２；Ｙｅｓ）、制御部２２は、購入要求に対応する出品物の現在価格を取引価格Ｐとして購入処理を行う（ステップＳ１３）。
【０１５１】
出品物の購入要求がないと判定した場合（ステップＳ１２；Ｎｏ）、または、ステップＳ１３の処理が終了した場合、制御部２２は、出品物が価格変更の対象であるか否かを判定する（ステップＳ１４）。制御部２２は、出品情報テーブルにおいて価格変更設定が「あり」になっている場合に、出品物が価格変更の対象であると判定する。
【０１５２】
出品物が価格変更の対象であると判定した場合（ステップＳ１４；Ｙｅｓ）、制御部２２は、価格変更のタイミングであるか否かを判定する（ステップＳ１５）。制御部２２は、例えば、取引価格Ｐの下げ間隔ΔＴが到来した場合に、価格変更のタイミングであると判定する。かかるステップＳ１５の処理は、取引価格変更部４６によって実行される。
【０１５３】
価格変更のタイミングであると判定した場合（ステップＳ１５；Ｙｅｓ）、制御部２２は、価格変更処理を行う（ステップＳ１６）。かかる価格変更処理は、上述した取引価格変更部４６によって実行される処理であり、例えば、取引価格Ｐの変更を行うか否かの判定処理、取引価格Ｐの下げ幅ΔＰの判定処理、および、取引価格Ｐの更新処理などが行われる。
【０１５４】
出品物が価格変更の対象ではないと判定した場合（ステップＳ１４；Ｎｏ）、価格変更のタイミングではないと判定した場合（ステップＳ１５；Ｎｏ）、または、ステップＳ１６の処理が終了した場合、制御部２２は、端末装置２から登録要求があるか否かを判定する（ステップＳ１７）。
【０１５５】
登録要求があると判定した場合（ステップＳ１７；Ｙｅｓ）、制御部２２は、登録要求に応じた登録処理を行う（ステップＳ１８）。かかる登録処理は、登録処理部４３によって実行される処理である。登録要求がないと判定した場合（ステップＳ１７；Ｎｏ）、または、ステップＳ１８の処理が終了した場合、制御部２２は、その他の処理を行う（ステップＳ１９）。例えば、制御部２２は、ステップＳ１９において、上述した通知部４７による処理を実行することができる。
【０１５６】
〔４．変形例〕
上述した実施形態では、注目度Ｄａ、情報量Ｍｃ、時間帯や曜日、関連出品物の平均取引価格や平均購入価格、および、出品者評価のうち１以上の情報に基づいて取引価格Ｐを段階的に下げていく態様を動的に変更する例を説明したが、かかる例に限定されない。例えば、取引価格変更部４６は、これらの情報に加え、または、これらの情報に代えて、周辺環境（例えば、自然災害の発生状況、天候の状態、他国の経済状態や紛争状態など）に基づいて取引価格Ｐを段階的に下げていく態様を動的に変更することもできる。
【０１５７】
また、上述した実施形態では、取引価格変更部４６は、例えば、上記式（１）〜（３）の演算などに基づいて、取引価格Ｐを段階的に下げていく態様を動的に変更する例を説明したがかかる例に限定されない。例えば、取引価格変更部４６は、購入実績のある関連商品の取引価格Ｐの下げ態様を統計的に演算し、かかる統計結果に基づいて、取引価格Ｐを段階的に下げていく態様を動的に変更することができる。
【０１５８】
また、上述した実施形態では、取引価格変更部４６は、取引価格Ｐを下げていく態様を動的に変更する例を説明したが、取引価格Ｐを下げていく態様を動的に変更せず、ユーザＵによって選択された変更形式で取引価格Ｐを下げていくが、取引価格Ｐを下げていく態様の動的変更を行わないこともできる。
【０１５９】
〔５．ハードウェア構成〕
上述した実施形態における出品物取引処理装置１および端末装置２は、それぞれ例えば図１６に示すような構成のコンピュータ２００がプログラムを実行することによって実現される。
【０１６０】
図１６は、プログラムを実行するコンピュータのハードウェア構成の一例を示す図である。コンピュータ２００は、ＣＰＵ２０１、ＲＡＭ２０２、ＲＯＭ２０３、ＨＤＤ２０４、通信インターフェイス（Ｉ／Ｆ）２０５、入出力インターフェイス（Ｉ／Ｆ）２０６、およびメディアインターフェイス（Ｉ／Ｆ）２０７を備える。
【０１６１】
ＣＰＵ２０１は、ＲＯＭ２０３またはＨＤＤ２０４に格納されたプログラムに基づいて動作し、各部の制御を行う。ＲＯＭ２０３は、コンピュータ２００の起動時にＣＰＵ２０１によって実行されるブートプログラムや、コンピュータ２００のハードウェアに依存するプログラム等を格納する。
【０１６２】
ＨＤＤ２０４は、ＣＰＵ２０１によって実行されるプログラムによって使用されるデータ等を格納する。通信インターフェイス２０５は、各通信部１０、２０に対応し、ネットワーク３を介して他の機器からデータを受信してＣＰＵ２０１へ送り、ＣＰＵ２０１が生成したデータを、ネットワーク３を介して他の機器へ送信する。
【０１６３】
ＣＰＵ２０１は、入出力インターフェイス２０６を介して、ディスプレイやプリンタ等の出力装置、および、キーボードやマウス等の入力装置を制御する。ＣＰＵ２０１は、入出力インターフェイス２０６を介して、入力装置からデータを取得する。また、ＣＰＵ２０１は、生成したデータを、入出力インターフェイス２０６を介して出力装置へ出力する。
【０１６４】
メディアインターフェイス２０７は、記録媒体２０８に格納されたプログラムまたはデータを読み取り、ＲＡＭ２０２を介してＣＰＵ２０１に提供する。ＣＰＵ２０１は、当該プログラムを、メディアインターフェイス２０７を介して記録媒体２０８からＲＡＭ２０２上にロードし、ロードしたプログラムを実行する。記録媒体２０８は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１６５】
コンピュータ２００のＣＰＵ２０１は、ＲＡＭ２０２上にロードされたプログラムを実行することにより、上述した制御部（制御部１１または制御部２２）の各機能を実現する。また、かかる制御部は、それぞれ一部または全部がハードウェアのみで構成されてもよい。
【０１６６】
コンピュータ２００のＣＰＵ２０１は、プログラムを、記録媒体２０８から読み取って実行するが、他の例として、他の装置から、ネットワーク３を介してこれらのプログラムを取得してもよい。なお、ＨＤＤ２０４は、各記憶部１４、２１に対応し、各記憶部１４、２１と同様のデータを記憶する。また、ＨＤＤ２０４に代えて、ＲＡＭ、フラッシュメモリ等の半導体メモリ素子、または、光ディスク等の記憶装置を用いてもよい。
【０１６７】
〔６．効果〕
実施形態に係る出品物取引処理装置１は、出品受付部４１（設定受付部の一例）と、取引価格変更部４６と、購入受付部４４と、購入処理部４５（処理部の一例）とを備える。出品受付部４１は、出品物の取引価格Ｐの設定を受け付ける。取引価格変更部４６は、取引価格Ｐを段階的に下げる。購入受付部４４は、取引価格Ｐでの出品物の購入要求を受け付ける。購入処理部４５は、購入要求に対する処理を行う。取引価格変更部４６は、取引価格Ｐを下げていく態様を動的に変更する。このように取引価格Ｐを下げていく態様を動的に変更することで、出品者が受ける利益を向上させたり、出品物が購入される可能性を向上させたりすることができる。
【０１６８】
また、取引価格変更部４６は、出品物に対する注目度Ｄａに応じて取引価格Ｐを段階的に下げる。これにより、取引価格Ｐが低くなりすぎることを防止し、出品者が受ける利益を向上させることができ、また、出品物が購入される可能性を高めることができる。
【０１６９】
また、出品受付部４１は、出品物情報受付部として、出品物に関する情報として公開される出品物情報を受け付ける。取引価格変更部４６は、出品物情報の情報量に応じて取引価格Ｐを段階的に下げる。これにより、取引価格Ｐが低くなりすぎることを防止し、出品者が受ける利益を向上させることができ、また、出品物が購入される可能性を高めることができる。
【０１７０】
また、取引価格変更部４６は、出品物情報の情報量Ｍｃが所定条件（例えば、注目度Ｄａが設定閾値以上であるという条件）を満たす場合、出品物の相場価格よりも高い取引価格帯で取引価格Ｐを段階的に下げる。これにより、適性な取引価格Ｐで購入の可能性を高めることができる。
【０１７１】
出品物情報の情報量Ｍｃには、出品物の画像の数が含まれ、取引価格変更部４６は、出品物の画像の数に応じて取引価格Ｐを段階的に下げる。これにより、例えば、出品物の画像の数が多いほど、取引価格Ｐの下げ幅ΔＰを小さくしたり、下げ間隔ΔＴを長くしたりすることができる。
【０１７２】
また、取引価格変更部４６は、出品物情報に基づいて出品物の状態を判定する物品状態判定部７５（判定部の一例）と、物品状態判定部７５によって判定された出品物の状態に基づいて、取引価格Ｐを段階的に下げる価格変更処理部７６とを備える。
【０１７３】
出品物の状態が良いほど高い取引価格で購入される可能性が高いことから、取引価格変更部４６は、出品物の状態が良いほど、取引価格Ｐの下げ幅ΔＰを小さくしたり、下げ間隔ΔＴを長くしたりすることで、適性な取引価格Ｐで購入の可能性を高めることができる。また、出品物の状態が悪いほど低い取引価格で購入される可能性が高いため、例えば、出品物の状態が悪いほど、取引価格Ｐの下げ幅ΔＰを大きくしたり、下げ間隔ΔＴを短くしたりすることで、出品物の購入の可能性を高めることができる。
【０１７４】
また、取引価格変更部４６は、時間帯および曜日の少なくともいずれか一つに応じて取引価格を段階的に下げる。例えば、出品物が購入されやすいような時間帯や曜日の変更タイミングの間隔を短くすることで、購入希望者に対して出品物の購入の後押しを行うことができ、これにより、出品物が購入される可能性を高めることができる。例えば、出品物が購入されやすいような時間帯や曜日の変更タイミングの間隔を長くすることで、出品物が購入されやすいような時間帯や曜日での取引価格Ｐの変動を抑えることができ、これにより、取引価格Ｐが低くなりすぎることを防止し、出品者が受ける利益を向上させることができる。
【０１７５】
また、取引価格変更部４６は、出品物と同じ種類または類似の種類の他の出品物（関連出品商品）の価格に基づいて、取引価格Ｐを下げる。これにより、取引価格Ｐを下げていく態様を適切に設定することができる。
【０１７６】
また、出品受付部４１は、出品物に対する最低価格Ｐｍｉｎの設定を受け付け、取引価格変更部４６は、取引価格Ｐが最低価格Ｐｍｉｎ以下にならないように、取引価格Ｐを下げる。これにより、取引価格Ｐが低くなりすぎることを防止することができ、出品物が購入される可能性を高めつつ、出品者が受ける利益が下がりすぎることを防止できる。
【０１７７】
また、出品受付部４１は、最低価格Ｐｍｉｎの設定を解除する設定を受け付け、取引価格変更部４６は、最低価格Ｐｍｉｎの設定が解除された場合に、最低価格Ｐｍｉｎとは無関係に取引価格Ｐを下げる。これにより、設定された最低価格Ｐｍｉｎの設定が適切でない場合であっても、出品物が購入される可能性を高めることができる。
【０１７８】
また、出品受付部４１は、取引価格Ｐを段階的に下げる形式である変更形式（例えば、上述した第１変更形式から第３変更形式のいずれか）の設定を受け付ける。取引価格変更部４６は、出品受付部４１によって受け付けた変更形式を基準に、取引価格Ｐを下げていく態様を動的に変更する。これにより、ユーザＵが望む変更形式で取引価格Ｐを下げていく態様を動的に変更することができる。
【０１７９】
また、出品物取引処理装置１は、出品物に対する注目度Ｄａに基づいて、変更形式の変更の提案を出品物の出品者に通知する通知部４７を備える。これにより、出品物が購入される可能性を高める機会をユーザＵに与えることができる。
【０１８０】
また、出品受付部４１は、取引価格変更部４６によって取引価格Ｐを段階的に下げる設定を受け付ける。取引価格変更部４６は、出品物受付部４によって取引価格Ｐを段階的に下げる設定を受け付けた場合に、出品物の取引価格Ｐを段階的に下げる。これにより、ユーザＵの選択によって出品物の取引価格Ｐが段階的に下がることから、ユーザＵが意図せずに出品物の取引価格Ｐが段階的に下がることを防止することができる。
【０１８１】
また、出品物取引処理装置１は、出品受付部４１によって取引価格Ｐを段階的に下げる設定が受け付けられていない場合、出品物に対する注目度Ｄａに基づいて、取引価格Ｐを段階的に下げる設定の提案を出品物の出品者に通知する通知部４７を備える。これにより、例えば、注目度Ｄａが高い出品物の出品者または注目度Ｄａが低い出品物の出品者に取引価格Ｐを段階的に下げる設定を促すことができ、これにより、出品物が購入される可能性を高めることができる。
【０１８２】
上述した出品物取引処理装置１は、それぞれ複数のサーバコンピュータで実現してもよく、また、機能によっては外部のプラットフォーム等をＡＰＩ（Application  Programming  Interface）やネットワークコンピューティングなどで呼び出して実現するなど、構成は柔軟に変更できる。
【０１８３】
また、上記してきた「部（section、module、unit）」は、「手段」や「回路」などに読み替えることができる。例えば、処理部は、処理手段や処理回路に読み替えることができる。
【０１８４】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１８５】
１  出品物取引処理装置
２０  通信部
２１  記憶部
２２  制御部
３１  ユーザ情報記憶部
３２  出品情報記憶部
４１  出品受付部（設定受付部の一例）
４２  閲覧処理部
４３  登録処理部
４４  購入受付部
４５  購入処理部（処理部の一例）
４６  取引価格変更部
４７  通知部
【図１】
2018049370.tif 000003
【図２】
2018049370.tif 000004
【図３】
2018049370.tif 000005
【図４】
2018049370.tif 000006
【図５】
2018049370.tif 000007
【図６】
2018049370.tif 000008
【図７】
2018049370.tif 000009
【図８】
2018049370.tif 000010
【図９】
2018049370.tif 000011
【図１０】
2018049370.tif 000012
【図１１】
2018049370.tif 000013
【図１２】
2018049370.tif 000014
【図１３】
2018049370.tif 000015
【図１４】
2018049370.tif 000016
【図１５】
2018049370.tif 000017
【図１６】
2018049370.tif 000018
【手続補正書】
【提出日】平成29年4月26日(2017.4.26)
【手続補正１】
【補正対象書類名】特許請求の範囲
【補正対象項目名】全文
【補正方法】変更
【補正の内容】
【特許請求の範囲】
【請求項１】
出品物の取引価格の設定を受け付ける設定受付部と、
前記設定受付部によって受け付けられた前記出品物の取引価格を示す情報を記憶する記憶部と、
前記記憶部に情報が記憶された前記取引価格を段階的に下げる取引価格変更部と、
前記取引価格での前記出品物の購入要求を受け付ける購入受付部と、
前記購入要求に対する処理を行う処理部と、を備え、
前記取引価格変更部は、
前記出品物に対する注目度が高いほど前記取引価格の下げ幅を小さくまたは前記取引価格の下げ間隔を長くする
ことを特徴とする出品物取引処理装置。
【請求項２】
出品物の取引価格の設定および前記出品物に関する情報として公開される出品物情報を受け付ける設定受付部と、
前記設定受付部によって受け付けられた前記出品物の取引価格を示す情報および前記出品物情報を記憶する記憶部と、
前記記憶部に情報が記憶された前記取引価格を段階的に下げる取引価格変更部と、
前記取引価格での前記出品物の購入要求を受け付ける購入受付部と、
前記購入要求に対する処理を行う処理部と、を備え、
前記取引価格変更部は、
前記記憶部に記憶された前記出品物情報の情報量が多いほど前記取引価格の下げ幅を小さくまたは前記取引価格の下げ間隔を長くする
ことを特徴とする出品物取引処理装置。
【請求項３】
前記取引価格変更部は、
前記出品物情報の情報量が所定条件を満たす場合、前記出品物の相場価格よりも高い取引価格帯で前記取引価格を段階的に下げる
ことを特徴とする請求項２に記載の出品物取引処理装置。 
【請求項４】
前記出品物情報の情報量には、出品物の画像の数が含まれ、
前記取引価格変更部は、
前記出品物の画像の数に応じて前記取引価格を段階的に下げる
ことを特徴とする請求項２または３に記載の出品物取引処理装置。 
【請求項５】
前記取引価格変更部は、
前記出品物情報に基づいて前記出品物の状態を判定する判定部と、
前記判定部によって判定された前記出品物の状態に基づいて、前記取引価格を段階的に下げる価格変更処理部と、を備え、
前記判定部は、
前記出品物情報に含まれる前記出品物の画像と、前記出品物と同一の商品の新品の画像との差に基づいて、前記出品物の状態を判定する、および／または、前記出品物情報に含まれる前記出品物の説明文および前記出品物に対するコメントの少なくとも一方から、前記出品物のうち劣化した部位の情報を抽出して前記出品物の状態を判定し、
前記取引価格変更部は、
前記判定部によって判定された前記出品物の状態が良いほど前記取引価格の下げ幅を小さくまたは前記取引価格の下げ間隔を長くする
ことを特徴とする請求項２〜４のいずれか一つに記載の出品物取引処理装置。
【請求項６】
前記取引価格変更部は、
時間帯および曜日の少なくともいずれか一つに応じて前記取引価格を段階的に下げる
ことを特徴とする請求項１〜５のいずれか一つに記載の出品物取引処理装置。 
【請求項７】
前記取引価格変更部は、
前記出品物の取引価格が前記出品物と同じ種類または類似の種類の他の出品物の価格よりも高いほど前記取引価格の下げ幅を大きくまた前記取引価格の下げ間隔を短くする
ことを特徴とする請求項１〜６のいずれか一つに記載の出品物取引処理装置。 
【請求項８】
前記設定受付部は、
前記出品物に対する最低価格の設定を受け付け、
前記取引価格変更部は、
前記取引価格が前記最低価格以下にならないように、前記取引価格を下げる
ことを特徴とする請求項１〜７いずれか一つに記載の出品物取引処理装置。 
【請求項９】
前記設定受付部は、
前記最低価格の設定を解除する設定を受け付け、
前記取引価格変更部は、
前記最低価格の設定が解除された場合に、前記最低価格とは無関係に前記取引価格を下げる
ことを特徴とする請求項８に記載の出品物取引処理装置。 
【請求項１０】
前記設定受付部は、
前記取引価格を段階的に下げる形式の設定を受け付け、
前記取引価格変更部は、
前記設定受付部によって受け付けた前記形式を基準に、前記取引価格を下げていく態様を動的に変更する
ことを特徴とする請求項１〜９のいずれか一つに記載の出品物取引処理装置。
【請求項１１】
前記出品物に対する注目度に基づいて、前記形式の変更の提案を前記出品物の出品者に通知する通知部を備える
ことを特徴とする請求項１０に記載の出品物取引処理装置。 
【請求項１２】
前記設定受付部は、
前記取引価格変更部によって前記取引価格を段階的に下げる設定を受け付け、
前記取引価格変更部は、
前記設定受付部によって前記取引価格を段階的に下げる設定を受け付けた場合に、前記出品物の取引価格を段階的に下げる
ことを特徴とする請求項１〜１１のいずれか一つに記載の出品物取引処理装置。 
【請求項１３】
前記設定受付部によって前記取引価格を段階的に下げる設定が受け付けられていない場合、前記出品物に対する注目度が所定値よりも低い場合に、前記取引価格を段階的に下げる設定の提案を前記出品物の出品者に通知する通知部を備える
ことを特徴とする請求項１２に記載の出品物取引処理装置。 
【請求項１４】
コンピュータが実行する出品物取引処理方法であって、
出品物の取引価格の設定を受け付け、当該出品物の取引価格を示す情報を記憶部に記憶する設定受付工程と、
前記記憶部に情報が記憶された前記取引価格を段階的に下げていく態様を動的に変更する取引価格変更工程と、
前記取引価格での前記出品物の購入要求を受け付ける購入受付工程と、
前記購入要求に対する処理を行う処理工程と、を含み、
前記取引価格変更工程は、
前記出品物に対する注目度が高いほど前記取引価格の下げ幅を小さくまたは前記取引価格の下げ間隔を長くする
ことを特徴とする出品物取引処理方法。 
【請求項１５】
コンピュータが実行する出品物取引処理方法であって、
出品物の取引価格の設定および前記出品物に関する情報として公開される出品物情報を受け付け、当該受け付けた情報を記憶部に記憶する設定受付工程と、
前記記憶部に情報が記憶された前記取引価格を段階的に下げる取引価格変更工程と、
前記取引価格での前記出品物の購入要求を受け付ける購入受付工程と、
前記購入要求に対する処理を行う処理工程と、を含み、
前記取引価格変更工程は、
前記記憶部に記憶された前記出品物情報の情報量が多いほど前記取引価格の下げ幅を小さくまたは前記取引価格の下げ間隔を長くする
ことを特徴とする出品物取引処理方法。
【請求項１６】
出品物の取引価格の設定を受け付け、当該出品物の取引価格を示す情報を記憶部に記憶する設定受付手順と、
前記記憶部に情報が記憶された前記取引価格を段階的に下げる取引価格変更手順と、
前記取引価格での前記出品物の購入要求を受け付ける購入受付手順と、
前記購入要求に対する処理を行う処理手順と、
をコンピュータに実行させ、
前記取引価格変更手順は、
前記出品物に対する注目度が高いほど前記取引価格の下げ幅を小さくまたは前記取引価格の下げ間隔を長くする
ことを特徴とする出品物取引処理プログラム。
【請求項１７】
出品物の取引価格の設定および前記出品物に関する情報として公開される出品物情報を受け付け、当該受け付けた情報を記憶部に記憶する設定受付手順と、
前記記憶部に情報が記憶された前記取引価格を段階的に下げいく態様を動的に変更する取引価格変更手順と、
前記取引価格での前記出品物の購入要求を受け付ける購入受付手順と、
前記購入要求に対する処理を行う処理手順と、
をコンピュータに実行させ、
前記取引価格変更手順は、
前記記憶部に記憶された前記出品物情報の情報量が多いほど前記取引価格の下げ幅を小さくまたは前記取引価格の下げ間隔を長くする
ことを特徴とする出品物取引処理プログラム。
【手続補正書】
【提出日】平成29年9月7日(2017.9.7)
【手続補正１】
【補正対象書類名】特許請求の範囲
【補正対象項目名】全文
【補正方法】変更
【補正の内容】
【特許請求の範囲】
【請求項１】
出品物の取引価格の設定を受け付ける設定受付部と、
前記設定受付部によって受け付けられた前記出品物の取引価格を示す情報と前記出品物に対する注目度に関する情報とを記憶する記憶部と、
前記記憶部に情報が記憶された前記取引価格を段階的に下げる取引価格変更部と、
前記取引価格での前記出品物の購入要求を受け付ける購入受付部と、
前記購入要求に対する処理を行う処理部と、を備え、
前記出品物に対する前記注目度に関する情報には、前記出品物に対するお気に入り登録の数である登録数、前記出品物に対するコメントの数であるコメント数、前記出品物の情報が閲覧された回数である閲覧数、および前記出品物の情報がシェアされた回数であるシェア回数の少なくとも１つが含まれ、
前記取引価格変更部は、
前記登録数、前記コメント数、前記閲覧数、および前記シェア回数の少なくとも１つが多いほど高くなるように前記出品物に対する前記注目度を判定し、前記出品物に対する前記注目度が高いほど前記取引価格の下げ幅を小さくまたは前記取引価格の下げ間隔を長くする
ことを特徴とする出品物取引処理装置。
【請求項２】
出品物の取引価格の設定および前記出品物に関する情報として公開される出品物情報を受け付ける設定受付部と、
前記設定受付部によって受け付けられた前記出品物の取引価格を示す情報および前記出品物情報を記憶する記憶部と、
前記記憶部に情報が記憶された前記取引価格を段階的に下げる取引価格変更部と、
前記取引価格での前記出品物の購入要求を受け付ける購入受付部と、
前記購入要求に対する処理を行う処理部と、を備え、
前記取引価格変更部は、
前記記憶部に記憶された前記出品物情報の情報量が多いほど前記取引価格の下げ幅を小さくまたは前記取引価格の下げ間隔を長くする
ことを特徴とする出品物取引処理装置。
【請求項３】
前記取引価格変更部は、
前記出品物情報の情報量が所定条件を満たす場合、前記出品物の相場価格よりも高い取引価格帯で前記取引価格を段階的に下げる
ことを特徴とする請求項２に記載の出品物取引処理装置。
【請求項４】
前記出品物情報の情報量には、出品物の画像の数が含まれ、
前記取引価格変更部は、
前記出品物の画像の数に応じて前記取引価格を段階的に下げる
ことを特徴とする請求項２または３に記載の出品物取引処理装置。
【請求項５】
前記取引価格変更部は、
前記出品物情報に基づいて前記出品物の状態を判定する判定部と、
前記判定部によって判定された前記出品物の状態に基づいて、前記取引価格を段階的に下げる価格変更処理部と、を備え、
前記判定部は、
前記出品物情報に含まれる前記出品物の画像と、前記出品物と同一の商品の新品の画像との差に基づいて、前記出品物の状態を判定する、および／または、前記出品物情報に含まれる前記出品物の説明文および前記出品物に対するコメントの少なくとも一方から、前記出品物のうち劣化した部位の情報を抽出して前記出品物の状態を判定し、
前記取引価格変更部は、
前記判定部によって判定された前記出品物の状態が良いほど前記取引価格の下げ幅を小さくまたは前記取引価格の下げ間隔を長くする
ことを特徴とする請求項２〜４のいずれか一つに記載の出品物取引処理装置。
【請求項６】
前記取引価格変更部は、
時間帯および曜日の少なくともいずれか一つに応じて前記取引価格を段階的に下げる
ことを特徴とする請求項１〜５のいずれか一つに記載の出品物取引処理装置。
【請求項７】
前記記憶部は、
前記出品物と同じ種類または類似の種類の他の出品物の取引価格を示す情報を記憶し、
前記取引価格変更部は、
前記記憶部に記憶された前記他の出品物の取引価格に基づいて、前記他の出品物の相場価格を判定し、前記出品物の取引価格が前記他の出品物の相場価格よりも高いほど前記取引価格の下げ幅を大きくまた前記取引価格の下げ間隔を短くする
ことを特徴とする請求項１〜６のいずれか一つに記載の出品物取引処理装置。
【請求項８】
前記設定受付部は、
前記出品物に対する最低価格の設定を受け付け、
前記取引価格変更部は、
前記取引価格が前記最低価格以下にならないように、前記取引価格を下げる
ことを特徴とする請求項１〜７のいずれか一つに記載の出品物取引処理装置。
【請求項９】
前記設定受付部は、
前記最低価格の設定を解除する設定を受け付け、
前記取引価格変更部は、
前記最低価格の設定が解除された場合に、前記最低価格とは無関係に前記取引価格を下げる
ことを特徴とする請求項８に記載の出品物取引処理装置。
【請求項１０】
前記設定受付部は、
前記取引価格を段階的に下げる形式の設定を受け付け、
前記取引価格変更部は、
前記設定受付部によって受け付けた前記形式を基準に、前記取引価格を下げていく態様を動的に変更する
ことを特徴とする請求項１〜９のいずれか一つに記載の出品物取引処理装置。
【請求項１１】
前記出品物に対する注目度に基づいて、前記形式の変更の提案を前記出品物の出品者に通知する通知部を備える
ことを特徴とする請求項１０に記載の出品物取引処理装置。
【請求項１２】
前記設定受付部は、
前記取引価格変更部によって前記取引価格を段階的に下げる設定を受け付け、
前記取引価格変更部は、
前記設定受付部によって前記取引価格を段階的に下げる設定を受け付けた場合に、前記出品物の取引価格を段階的に下げる
ことを特徴とする請求項１〜１１のいずれか一つに記載の出品物取引処理装置。
【請求項１３】
前記設定受付部によって前記取引価格を段階的に下げる設定が受け付けられていない場合、前記出品物に対する注目度が所定値よりも低い場合に、前記取引価格を段階的に下げる設定の提案を前記出品物の出品者に通知する通知部を備える
ことを特徴とする請求項１２に記載の出品物取引処理装置。
【請求項１４】
コンピュータが実行する出品物取引処理方法であって、
出品物の取引価格の設定を受け付け、当該出品物の取引価格を示す情報と前記出品物に対する注目度に関する情報とを記憶部に記憶する設定受付工程と、
前記記憶部に情報が記憶された前記取引価格を段階的に下げていく態様を動的に変更する取引価格変更工程と、
前記取引価格での前記出品物の購入要求を受け付ける購入受付工程と、
前記購入要求に対する処理を行う処理工程と、を含み、
前記出品物に対する前記注目度に関する情報には、前記出品物に対するお気に入り登録の数である登録数、前記出品物に対するコメントの数であるコメント数、前記出品物の情報が閲覧された回数である閲覧数、および前記出品物の情報がシェアされた回数であるシェア回数の少なくとも１つが含まれ、
前記取引価格変更工程は、
前記登録数、前記コメント数、前記閲覧数、および前記シェア回数の少なくとも１つが多いほど高くなるように前記出品物に対する前記注目度を判定し、前記出品物に対する前記注目度が高いほど前記取引価格の下げ幅を小さくまたは前記取引価格の下げ間隔を長くする
ことを特徴とする出品物取引処理方法。
【請求項１５】
コンピュータが実行する出品物取引処理方法であって、
出品物の取引価格の設定および前記出品物に関する情報として公開される出品物情報を受け付け、当該受け付けた情報を記憶部に記憶する設定受付工程と、
前記記憶部に情報が記憶された前記取引価格を段階的に下げる取引価格変更工程と、
前記取引価格での前記出品物の購入要求を受け付ける購入受付工程と、
前記購入要求に対する処理を行う処理工程と、を含み、
前記取引価格変更工程は、
前記記憶部に記憶された前記出品物情報の情報量が多いほど前記取引価格の下げ幅を小さくまたは前記取引価格の下げ間隔を長くする
ことを特徴とする出品物取引処理方法。
【請求項１６】
出品物の取引価格の設定を受け付け、当該出品物の取引価格を示す情報と前記出品物に対する注目度に関する情報とを記憶部に記憶する設定受付手順と、
前記記憶部に情報が記憶された前記取引価格を段階的に下げる取引価格変更手順と、
前記取引価格での前記出品物の購入要求を受け付ける購入受付手順と、
前記購入要求に対する処理を行う処理手順と、
をコンピュータに実行させ、
前記出品物に対する前記注目度に関する情報には、前記出品物に対するお気に入り登録の数である登録数、前記出品物に対するコメントの数であるコメント数、前記出品物の情報が閲覧された回数である閲覧数、および前記出品物の情報がシェアされた回数であるシェア回数の少なくとも１つが含まれ、
前記取引価格変更手順は、
前記登録数、前記コメント数、前記閲覧数、および前記シェア回数の少なくとも１つが多いほど高くなるように前記出品物に対する前記注目度を判定し、前記出品物に対する前記注目度が高いほど前記取引価格の下げ幅を小さくまたは前記取引価格の下げ間隔を長くする
ことを特徴とする出品物取引処理プログラム。
【請求項１７】
出品物の取引価格の設定および前記出品物に関する情報として公開される出品物情報を受け付け、当該受け付けた情報を記憶部に記憶する設定受付手順と、
前記記憶部に情報が記憶された前記取引価格を段階的に下げていく態様を動的に変更する取引価格変更手順と、
前記取引価格での前記出品物の購入要求を受け付ける購入受付手順と、
前記購入要求に対する処理を行う処理手順と、
をコンピュータに実行させ、
前記取引価格変更手順は、
前記記憶部に記憶された前記出品物情報の情報量が多いほど前記取引価格の下げ幅を小さくまたは前記取引価格の下げ間隔を長くする
ことを特徴とする出品物取引処理プログラム。